(57)【要約】【課題】像振れを軽減して撮影を行うこと。【解決手段】ＣＰＵ１０６は、適正なシャッタースピードが閾値未満である場合に、シャッタースピードを高速化して像振れ軽減を行うに当たって、撮像系の情報に基づいて、閾値を変更する。【選択図】図１
2010026173.tif 000002
【特許請求の範囲】
【請求項１】
撮像系の情報を取得する撮像系情報取得手段と、
シャッタースピードを演算する演算手段と、
前記演算手段で演算されたシャッタースピードを閾値と比較する比較手段と、
前記比較手段による比較の結果、前記演算手段で演算されたシャッタースピードが前記閾値未満であると判定した場合に、シャッタースピードを高速側に設定する設定手段と、
前記撮像系情報取得手段により取得した前記撮像系の情報に基づいて、前記閾値を変更する変更手段とを備えることを特徴とするカメラ。
【請求項２】
請求項１に記載のカメラにおいて、
前記変更手段は、前記撮像系の焦点距離に応じて前記閾値を変更することを特徴とするカメラ。
【請求項３】
請求項１または２に記載のカメラにおいて、
前記撮像系は、振れ軽減装置を備えており、
前記変更手段は、前記撮像系の振れ軽減装置の動作の有効／無効に応じて、前記閾値を変更することを特徴とするカメラ。
【請求項４】
請求項３に記載のカメラにおいて、
前記変更手段は、前記撮像系の振れ軽減装置の動作が有効化されている場合には、前記振れ軽減装置の振れ軽減性能に応じて前記閾値を変更することを特徴とするカメラ。
【請求項５】
請求項４に記載のカメラにおいて、
前記変更手段は、前記振れ軽減装置がシャッタースピードに換算して何段分の振れ軽減性能を備えているかを判定し、判定した段数分だけ前記閾値を低速側に変更することを特徴とするカメラ。
【発明の詳細な説明】
【技術分野】
【０００１】
本発明は、振れ軽減機能を備えるカメラに関する。
【背景技術】
【０００２】
従来、シャッタースピードを高速化し、その露出低下分を感度を上げて補うことによって、振れ画像の発生を抑制する技術が知られている。一方で、振れ軽減装置を備えた交換レンズを用いて、手振れに伴う像振れを補正するカメラも知られている（例えば、特許文献１）。
【０００３】
【特許文献１】特開２００７−１１１４０号公報
【発明の開示】
【発明が解決しようとする課題】
【０００４】
しかしながら、シャッタースピードを高速化し、その露出低下分を感度を上げるようにしたカメラに、振れ軽減装置を備えた交換レンズを装着した場合には、交換レンズの振れ軽減装置により像振れが補正されているにもかかわらず、カメラ側でシャッタースピードが高速化されて増感され、画質が低下するおそれがあった。
【課題を解決するための手段】
【０００５】
本発明によるカメラは、撮像系の情報を取得する撮像系情報取得手段と、シャッタースピードを演算する演算手段と、演算手段で演算されたシャッタースピードを閾値と比較する比較手段と、比較手段による比較の結果、演算手段で演算されたシャッタースピードが閾値未満であると判定した場合に、シャッタースピードを高速側に設定する設定手段と、撮像系情報取得手段により取得した撮像系の情報に基づいて、閾値を変更する変更手段とを備えることを特徴とする。
本発明では、変更手段は、撮像系の焦点距離に応じて閾値を変更するようにしてもよい。
撮像系は、振れ軽減装置を備えており、変更手段は、撮像系の振れ軽減装置の動作の有効／無効に応じて、閾値を変更するようにしてもよい。
変更手段は、撮像系の振れ軽減装置の動作が有効化されている場合には、振れ軽減装置の振れ軽減性能に応じて閾値を変更するようにしてもよい。
このとき、変更手段は、振れ軽減装置がシャッタースピードに換算して何段分の振れ軽減性能を備えているかを判定し、判定した段数分だけ閾値を低速側に変更することが好ましい。
【発明の効果】
【０００６】
本発明によれば、振れ軽減装置を備えた交換レンズが装着された場合には、交換レンズのレンズ情報を加味して振れ軽減を行うことにより、画質の劣化を防ぐことができる。
【発明を実施するための最良の形態】
【０００７】
図１は、本実施の形態におけるカメラの一実施の形態の構成を示すブロック図である。カメラ１００は、レンズマウント部１０１と、撮像素子１０２と、ＡＦＥ（Ａｎａｌｏｇ  Ｆｒｏｎｔ  Ｅｎｄ）回路１０３と、画像処理回路１０４と、メモリカードスロット１０５と、ＣＰＵ１０６と、操作部材１０７と、ＲＡＭ１０８と、フラッシュメモリ１０９と、モニタ１１０とを備えている。
【０００８】
ＣＰＵ１０６は、フラッシュメモリ１０９に記録されている制御プログラムをＲＡＭ１０８に読み込んで実行することにより、カメラ１００の全体を制御する。なお、ＲＡＭ１０８は、揮発性のメモリであって、ＣＰＵ１０６がプログラム実行時にプログラムを展開するためのワークメモリとして使用されたり、データを一時的に記録するためのバッファメモリとして使用される。また、フラッシュメモリ１０９は、不揮発性のメモリであって、ＣＰＵ１０６が実行するプログラムのデータや、プログラム実行時に読み込まれる種々のパラメータなどが記録されている。
【０００９】
レンズマウント部１０１は、交換レンズをマウントするためのマウント部である。ＣＰＵ１０６は、このレンズマウント部１０１を介して交換レンズに信号を出力することによって、交換レンズを制御する。なお、レンズマウント部１０１にマウントされる交換レンヌは、振れ軽減装置（振れ補正装置）を備えた防振レンズであるものとする。この交換レンズの振れ軽減装置の動作を有効にするか無効にするかは、使用者がカメラ１００側から設定できるものとする。ＣＰＵ１０６は、使用者による設定内容に基づいて、レンズマウント部１０１を介して、交換レンズの振れ軽減装置の動作のオンまたはオフを切り替えるための切り替え信号を交換レンズに出力する。
【００１０】
撮像素子１０２は、例えばＣＣＤやＣＭＯＳなどのイメージセンサであり、交換レンズを通して入射される被写体像を光電変換してアナログ画像信号を生成し、生成したアナログ画像信号をＡＦＥ回路１０３へ出力する。
【００１１】
ＡＦＥ回路１０３は、アナログ画像信号に対するゲイン調整、例えば、設定されたＩＳＯ感度に応じた信号増幅などを行う。ＡＦＥ回路１０３は、さらに内蔵するＡ／Ｄ変換回路によってアナログ画像信号をデジタル画像データに変換し、画像データを画像処理回路１０４へ出力する。
【００１２】
画像処理回路１０４は、デジタル画像データに対して各種の画像処理、例えば、色補間処理、階調変換処理、輪郭強調処理、ホワイトバランス調整処理などを施した後、画像処理後の画像データ（以下、「画像データ」と呼ぶ）をバッファメモリとしてのＲＡＭ１０８へ出力する。
【００１３】
ＣＰＵ１０６は、ＲＡＭ１０８に記録された画像データを、内蔵メモリとしてのフラッシュメモリ１０９、または外部メモリとしてのメモリカードスロット１０５に挿入されているメモリカード１０５ａに記録する。なお、メモリカードスロット１０５は、外部メモリとしてのメモリカード１０５ａを挿入するためのスロット部を備えており、ＣＰＵ１０６からの指示に基づいて、メモリカード１０５ａに画像データの書き込みを行なったり、メモリカード１０５ａから画像データの読み出しを行なったりする。また、フラッシュメモリ１０９は、不揮発性メモリであり、ＣＰＵ１０６が使用するプログラムや設定値を記憶する。
【００１４】
操作部材１０７は、使用者によって操作される種々の操作用部材、例えば電源ボタン、レリーズボタン、ズームボタン、十字キー、決定ボタン、再生ボタン、削除ボタンなどを含んでいる。モニタ１１０は、カメラ１００の背面に搭載された液晶モニタ（背面モニタ）であり、ＣＰＵ１０６は、このモニタ１１０にメモリカード１０５ａに記憶されている画像データや、カメラ１００を設定するための設定メニューなどを表示する。
【００１５】
本実施の形態におけるカメラ１００は、撮影時の像振れを軽減するための像振れ軽減機能を備えている。具体的には、ＣＰＵ１０６は、シャッタースピードおよびＩＳＯ感度を調整することにより像振れ軽減処理を行う。すなわち、ＣＰＵ１０６は、像振れを軽減するために、シャッタースピードを適正値よりも早くし、それに伴う露出不足分をＩＳＯ感度を適正値よりも上げることにより補って適正露出にする。なお、適正なシャッタースピード、および適正なＩＳＯ感度は、ＣＰＵ１０６によって公知の方法で算出されるものとし、算出方法についての詳細な説明は省略する。
【００１６】
このとき、レンズマウント部１０１にマウントされる交換レンズが上述したように振れ軽減装置を備えている場合であって、その動作が有効化されている場合には、交換レンズ側で像振れが補正されるため、ＣＰＵ１０６による像振れ軽減処理による像振れ補正効果を弱めることができる。上述したように、像振れ軽減のためにＩＳＯ感度を上げると、画像のノイズが増加する。このため、交換レンズの振れ軽減装置の動作がオンに設定されている（有効化されている）場合には、ＣＰＵ１０６は、シャッタースピードの上げ幅を小さくし、かつＩＳＯ感度の上げ幅を小さくすることにより、取得する画像のノイズを低減することができる。
【００１７】
なお、適正値として算出されたシャッタースピードが遅いほど、像振れ量は大きくなることから、ＣＰＵ１０６は、シャッタースピードが閾値未満の場合に像振れ軽減処理を行うようにし、シャッタースピードが閾値以上の場合には像振れ軽減処理を行わないようにする。このときに用いる閾値は、交換レンズの焦点距離によって異なることから、本実施の形態では、あらかじめ標準の交換レンズ、例えば焦点距離が５０ｍｍの交換レンズ用の閾値を、使用者が設定しておくものとし、他の交換レンズが装着された場合には、ＣＰＵ１０６が標準の交換レンズに対して設定された閾値に基づいて自動的に閾値を算出する。
【００１８】
また、装着されている交換レンズが広角レンズである場合と、望遠レンズである場合とを比較すると、同じシャッタースピードの場合には望遠レンズの方が像振れが大きくなる。このため、ＣＰＵ１０６は、望遠レンズの閾値を広角レンズの閾値より高速側に設定するようにする。
【００１９】
例えば、ＣＰＵ１０６は、レンズマウント部１０１に交換レンズが未装着の場合、交換レンズが装着されているがその交換レンズが振れ軽減装置を備えていない場合、または振れ軽減装置を備える交換レンズが装着されているが振れ軽減装置がオフに設定されている場合には、図２に示すようにシャッタースピードおよびＩＳＯ感度を設定して像振れを軽減する。
【００２０】
図２（ａ）は、装着された交換レンズが広角レンズである場合のシャッタースピードおよびＩＳＯ感度の設定例を示す図である。この図２（ａ）に示す例では、ＣＰＵ１０６によって、上述した閾値が１／１２５秒に設定されている。すなわち、適正値として算出されたシャッタースピードが１／１２５秒未満の場合には、ＣＰＵ１０６は、シャッタースピードを適正値よりも高速化し、ＩＳＯ感度を適正感度よりも上げる。
【００２１】
例えば、図２（ａ）に示す例では、適正値として算出されたシャッタースピードが１／１５秒である場合には、ＣＰＵ１０６は、シャッタースピードを適正値より２段上げて１／６０秒に設定し、これに伴ってＩＳＯ感度を適正感度より２段上げて設定する。また、適正値として算出されたシャッタースピードが１／３０秒である場合には、ＣＰＵ１０６は、シャッタースピードを適正値より２段上げて１／１２５秒に設定し、これに伴ってＩＳＯ感度を適正感度より２段上げて設定する。また、適正値として算出されたシャッタースピードが１／６０秒である場合には、ＣＰＵ１０６は、シャッタースピードを適正値より１段上げて１／１２５秒に設定し、これに伴ってＩＳＯ感度を適正感度より１段上げて設定する。
【００２２】
図２（ａ）に示す例では、上述した閾値が１／１２５秒に設定されているため、ＣＰＵ１０６は、シャッタースピードの適正値が１／１２５秒以上の場合には、像振れ軽減のためのシャッタースピードおよびＩＳＯ感度の変更は行わない（図２（ａ）においては「ＯＦＦ」と表示）。
【００２３】
なお、図２（ａ）に示す例では、ＣＰＵ１０６は、シャッタースピードの適正値が１／１５秒の場合、および１／３０秒の場合には、シャッタースピードおよびＩＳＯ感度をそれぞれ２段上げたが、１／６０秒の場合にはそれぞれ１段しか上げていない。これは、上述したように、シャッタースピードが遅いほど像振れ量が大きくなるためである。
【００２４】
また、図２（ｂ）は、装着された交換レンズが望遠レンズである場合のシャッタースピードおよびＩＳＯ感度の設定例を示す図である。この図２（ｂ）に示す例では、ＣＰＵ１０６によって、上述した閾値が１／２５０秒に設定されている。すなわち、適正値として算出されたシャッタースピードが１／２５０秒未満の場合には、ＣＰＵ１０６は、シャッタースピードを適正値よりも高速化し、ＩＳＯ感度を適正感度よりも上げる。
【００２５】
例えば、図２（ｂ）に示す例では、適正値として算出されたシャッタースピードが１／１５秒である場合には、ＣＰＵ１０６は、シャッタースピードを適正値より２段上げて１／６０秒に設定し、これに伴ってＩＳＯ感度を適正感度より２段上げて設定する。また、適正値として算出されたシャッタースピードが１／３０秒である場合には、ＣＰＵ１０６は、シャッタースピードを適正値より２段上げて１／１２５秒に設定し、これに伴ってＩＳＯ感度を適正感度より２段上げて設定する。
【００２６】
また、適正値として算出されたシャッタースピードが１／６０秒である場合には、ＣＰＵ１０６は、シャッタースピードを適正値より２段上げて１／２５０秒に設定し、これに伴ってＩＳＯ感度を適正感度より２段上げて設定する。また、適正値として算出されたシャッタースピードが１／１２５秒である場合には、ＣＰＵ１０６は、シャッタースピードを適正値より１段上げて１／２５０秒に設定し、これに伴ってＩＳＯ感度を適正感度より１段上げて設定する。
【００２７】
図２（ｂ）に示す例では、上述した閾値が１／２５０秒に設定されているため、ＣＰＵ１０６は、シャッタースピードの適正値が１／２５０秒以上である場合には、像振れ軽減のためのシャッタースピードおよびＩＳＯ感度の変更は行わない（図２（ｂ）においては「ＯＦＦ」と表示）。
【００２８】
なお、図２（ｂ）に示す例では、ＣＰＵ１０６は、シャッタースピードの適正値が１／１５秒の場合、１／３０秒の場合、および１／６０秒の場合には、シャッタースピードおよびＩＳＯ感度をそれぞれ２段上げたが、１／１２５秒の場合にはそれぞれ１段しか上げていない。これは、上述したように、シャッタースピードが遅いほど像振れ量が大きくなるためである。
【００２９】
また、図２（ａ）に示した広角レンズの場合には、シャッタースピードの適正値が１／１５秒の場合、および１／３０秒の場合にシャッタースピードおよびＩＳＯ感度を２段上げ、１／１２５秒の場合には１段上げるようにしていたが、望遠レンズの場合には、１／１２５秒の場合にもシャッタースピードおよびＩＳＯ感度を２段上げている。これは、上述したように、同じシャッタースピードの場合に、広角レンズよりも望遠レンズの方が像振れ量が大きくなることから、望遠レンズの場合には、広角レンズよりも高速側まで像振れ軽減の効果を効かす必要があるためである。
【００３０】
一方、ＣＰＵ１０６は、レンズマウント部１０１に振れ軽減装置を備える交換レンズが装着されており、かつその振れ軽減装置の動作がオンに設定されている場合には、交換レンズの振れ軽減装置の性能（防振性能）も加味して、シャッタースピードおよびＩＳＯ感度を設定する。例えば、レンズマウント部１０１に装着された交換レンズが、シャッタースピードに換算して２段分の防振性能を有する振れ軽減装置を有している場合について説明する。この場合、ＣＰＵ１０６は、例えば図３に示すようにシャッタースピードおよびＩＳＯ感度を設定して像振れを軽減する。
【００３１】
図３（ａ）は、装着された交換レンズが広角レンズである場合のシャッタースピードおよびＩＳＯ感度の設定例を示す図である。この図３（ａ）に示す例では、ＣＰＵ１０６によって、上述した閾値が１／３０秒に設定されている。すなわち、適正値として算出されたシャッタースピードが１／３０秒未満の場合には、ＣＰＵ１０６は、シャッタースピードを適正値よりも高速化し、ＩＳＯ感度を適正感度よりも上げる。
【００３２】
なお、図２（ａ）に示した例では、閾値を１／１２５秒としたのに対して、ここでの閾値を１／３０秒としたのは、交換レンズによる２段分の防振性能を加味したためである。すなわち、交換レンズの防振性能がシャッタースピードに換算して２段分であることから、閾値を２段分だけ低速側に変更している。
【００３３】
例えば、図３（ａ）に示す例では、適正値として算出されたシャッタースピードが１／３秒である場合には、ＣＰＵ１０６は、シャッタースピードを適正値より２段上げて１／１５秒に設定し、これに伴ってＩＳＯ感度を適正感度より２段上げて設定する。これによって、交換レンズの２段分の防振性能を加味すると、実質的には４段分の像振れ軽減効果を得ることができるため、シャッタースピードを１／６０秒まで上げて像振れ軽減を行った場合と同様の像振れ軽減効果を得ることができる。
【００３４】
また、適正値として算出されたシャッタースピードが１／６秒である場合には、ＣＰＵ１０６は、シャッタースピードを適正値より２段上げて１／３０秒に設定し、これに伴ってＩＳＯ感度を適正感度より２段上げて設定する。これによって、交換レンズの２段分の防振性能を加味すると、実質的には４段分の像振れ軽減効果を得ることができるため、シャッタースピードを１／１２５秒まで上げて像振れ軽減を行った場合と同様の像振れ軽減効果を得ることができる。
【００３５】
また、適正値として算出されたシャッタースピードが１／１５秒である場合には、ＣＰＵ１０６は、シャッタースピードを適正値より１段上げて１／３０秒に設定し、これに伴ってＩＳＯ感度を適正感度より１段上げて設定する。これによって、交換レンズの２段分の防振性能を加味すると、実質的には３段分の像振れ軽減効果を得ることができるため、シャッタースピードを１／１２５秒まで上げて像振れ軽減を行った場合と同様の像振れ軽減効果を得ることができる。
【００３６】
図３（ａ）に示す例では、上述した閾値が１／３０秒に設定されているため、ＣＰＵ１０６は、シャッタースピードの適正値が１／３０秒以上の場合には、像振れ軽減のためのシャッタースピードおよびＩＳＯ感度の変更は行わない（図３（ａ）においては「ＯＦＦ」と表示）。
【００３７】
図３（ａ）に示す例では、ＣＰＵ１０６は、シャッタースピードの適正値が１／３秒の場合、および１／６秒の場合には、シャッタースピードおよびＩＳＯ感度をそれぞれ２段上げたが、１／１５秒の場合にはそれぞれ１段しか上げていない。これは、上述したように、シャッタースピードが遅いほど像振れ量が大きくなるためである。
【００３８】
また、図３（ｂ）は、装着された交換レンズが望遠レンズである場合のシャッタースピードおよびＩＳＯ感度の設定例を示す図である。この図３（ｂ）に示す例では、ＣＰＵ１０６によって、上述した閾値が１／６０秒に設定されている。すなわち、適正値として算出されたシャッタースピードが１／６０秒未満の場合には、ＣＰＵ１０６は、シャッタースピードを適正値よりも高速化し、ＩＳＯ感度を適正感度よりも上げる。
【００３９】
例えば、図３（ｂ）に示す例では、適正値として算出されたシャッタースピードが１／３秒である場合には、ＣＰＵ１０６は、シャッタースピードを適正値より２段上げて１／１５秒に設定し、これに伴ってＩＳＯ感度を適正感度より２段上げて設定する。これによって、交換レンズの２段分の防振性能を加味すると、実質的には４段分の像振れ軽減効果を得ることができるため、シャッタースピードを１／６０秒まで上げて像振れ軽減を行った場合と同様の像振れ軽減効果を得ることができる。
【００４０】
また、適正値として算出されたシャッタースピードが１／６秒である場合には、ＣＰＵ１０６は、シャッタースピードを適正値より２段上げて１／３０秒に設定し、これに伴ってＩＳＯ感度を適正感度より２段上げて設定する。これによって、交換レンズの２段分の防振性能を加味すると、実質的には４段分の像振れ軽減効果を得ることができるため、シャッタースピードを１／１２５秒まで上げて像振れ軽減を行った場合と同様の像振れ軽減効果を得ることができる。
【００４１】
また、適正値として算出されたシャッタースピードが１／１５秒である場合には、ＣＰＵ１０６は、シャッタースピードを適正値より２段上げて１／６０秒に設定し、これに伴ってＩＳＯ感度を適正感度より２段上げて設定する。これによって、交換レンズの２段分の防振性能を加味すると、実質的には４段分の像振れ軽減効果を得ることができるため、シャッタースピードを１／２５０秒まで上げて像振れ軽減を行った場合と同様の像振れ軽減効果を得ることができる。
【００４２】
また、適正値として算出されたシャッタースピードが１／３０秒である場合には、ＣＰＵ１０６は、シャッタースピードを適正値より２段上げて１／１２５秒に設定し、これに伴ってＩＳＯ感度を適正感度より２段上げて設定する。これによって、交換レンズの２段分の防振性能を加味すると、実質的には４段分の像振れ軽減効果を得ることができるため、シャッタースピードを１／２５０秒まで上げて像振れ軽減を行った場合と同様の像振れ軽減効果を得ることができる。
【００４３】
図３（ｂ）に示す例では、上述した閾値が１／６０秒に設定されているため、ＣＰＵ１０６は、シャッタースピードの適正値が１／６０秒以上である場合には、像振れ軽減のためのシャッタースピードおよびＩＳＯ感度の変更は行わない（図３（ｂ）においては「ＯＦＦ」と表示）。
【００４４】
以上の説明したように、ＣＰＵ１０６は、交換レンズの振れ軽減装置の動作が有効化されている場合には、他の場合よりも上述した閾値を低く設定することにより、交換レンズの防振性能を加味した像振れ軽減制御を行うことができる。すなわち、交換レンズの振れ軽減装置の動作が有効化されている場合には、必要以上にシャッタースピードおよびＩＳＯ感度を上げないようにすることで、像振れを軽減しつつノイズの発生を抑えることができる。
【００４５】
図４は、本実施の形態におけるカメラ１００の処理を示すフローチャートである。図４に示す処理は、カメラ１００のモードが像振れ軽減モードに設定されているときに、使用者によって操作部材１０７に含まれるレリーズボタンが半押しされると起動するプログラムとして、ＣＰＵ１０６によって実行される。
【００４６】
ステップＳ１０において、ＣＰＵ１０６は、レンズマウント部１０１を介して、装着されている交換レンズのレンズ情報を取得する。レンズ情報としては、例えば、レンズの焦点距離情報、振れ軽減装置の有無に関する情報、振れ軽減装置の動作のオン／オフに関する情報、防振性能がシャッタースピードに換算して何段分であるかの情報などを取得する。その後、ステップＳ２０へ進み、ＣＰＵ１０６は、取得したレンズ情報に基づいて、装着されている交換レンズが振れ軽減装置を備えているか否かを判断する。否定判断した場合には、ステップＳ１００へ進む。
【００４７】
ステップＳ１００では、ＣＰＵ１０６は、上述したように、公知の手法によってシャッタースピードの適正値を演算する。そして、算出したシャッタースピードに基づいて、図２に示したように、像振れ軽減を行うためのシャッタースピードを算出して、これを撮影時のシャッタースピードとして設定する。その後、後述するステップＳ６０へ進む。これに対して、肯定判断した場合には、ステップＳ３０へ進む。
【００４８】
ステップＳ３０では、ＣＰＵ１０６は、取得したレンズ情報に基づいて、装着されている交換レンズの振れ軽減装置の動作がオンに設定されているか否かを判断する。否定判断した場合には、上述したステップＳ１００へ進む。これに対して、肯定判断した場合には、ステップＳ４０へ進む。ステップＳ４０では、ＣＰＵ１０６は、取得したレンズ情報に基づいて、装着されている交換レンズの防振性能が何段分であるかを判定して、ステップＳ５０へ進む。
【００４９】
ステップＳ５０では、ＣＰＵ１０６は、上述したように、公知の手法によってシャッタースピードの適正値を演算する。そして、ＣＰＵ１０６は、図３に示したように、装着されている交換レンズの防振性能を加味して、像振れ軽減を行うためのシャッタースピードを算出して、これを撮影時のシャッタースピードとして設定する。その後、ステップＳ６０へ進む。
【００５０】
ステップＳ６０では、ＣＰＵ１０６は、上述したように、公知の手法によってＩＳＯ感度の適正値を演算する。そして、ＣＰＵ１０６は、ステップＳ５０またはＳ１００で設定したシャッタースピードに基づいて、ＩＳＯ感度をアップさせる。すなわち、ＣＰＵ１０６は、ステップＳ５０または１００で、像振れ軽減のためにアップさせたシャッタースピードの段数分だけ、ＩＳＯ感度を適正値からアップさせる。そして、これを撮影時のＩＳＯ感度として設定する。その後、ステップＳ７０へ進む。
【００５１】
ステップＳ７０では、ＣＰＵ１０６は、使用者によって操作部材１０７に含まれるレリーズボタンが全押しされたか否かを判断する。肯定判断した場合には、ステップＳ８０へ進み、ＣＰＵ１０８は、上述した処理で設定したシャッタースピードおよびＩＳＯ感度で撮影処理を行なって、画像データを取得し、処理を終了する。これに対して、ステップＳ７０で否定判断した場合には、ステップＳ９０へ進む。
【００５２】
ステップＳ９０では、ＣＰＵ１０６は、使用者によってレリーズボタンの半押しが解除されたか否かを判断する。否定判断した場合には、ステップＳ５０へ戻って処理を繰り返す。これに対して、肯定判断した場合には、処理を終了する。
【００５３】
以上説明した本実施の形態によれば、以下のような作用効果を得ることができる。
（１）ＣＰＵ１０６は、シャッタースピードを閾値と比較した結果、シャッタースピードが閾値未満である場合に、シャッタースピードを高速側に設定するようにし、撮像系の情報に基づいて、閾値を変更するようにした。これによって、撮像系の情報を加味した像振れ軽減処理が可能になり、シャッタースピードが不用意に高速化されて増感されることによる画質の低下を抑えることができる。
【００５４】
（２）ＣＰＵ１０６は、撮像系の焦点距離に応じて、上述した閾値を変更するようにした。これによって、装着されている交換レンズが広角レンズである場合と、望遠レンズである場合とを比較すると、同じシャッタースピードの場合には望遠レンズの方が像振れが大きくなることを加味して、最適な閾値を設定することができる。
【００５５】
（３）ＣＰＵ１０６は、交換レンズが振れ軽減装置を備えている場合には、振れ軽減装置の動作の有効／無効に応じて、上記閾値を変更するようにした。これによって、振れ軽減装置の効果を加味して最適な閾値を設定することができる。
【００５６】
（４）ＣＰＵ１０６は、交換レンズの振れ軽減装置の動作が有効化されている場合には、振れ軽減装置の振れ軽減性能に応じて閾値を変更するようにした。これによって、交換レンズの振れ軽減装置の振れ軽減性能を加味して最適な閾値を設定することができる。
【００５７】
（５）ＣＰＵ１０６は、振れ軽減装置がシャッタースピードに換算して何段分の振れ軽減性能を備えているかを判定し、判定した段数分だけ閾値を低速側に変更するようにした。これによって、必要以上にシャッタースピードが高速化され、増感されることによって、画質が劣化することを防ぐことができる。
【００５８】
―変形例―
なお、上述した実施の形態のカメラは、以下のように変形することもできる。
（１）上述した実施の形態では、カメラ１００は、レンズマウント部１０１を備え、このレンズマウント部１０１を介して交換レンズを装着する例について説明した。しかしながら、カメラ１００は、撮影光学系としてのレンズを備えた、レンズ一体型カメラであってもよい。この場合、ＣＰＵ１０６は、撮影光学系の振れ軽減装置の動作の有効／無効、焦点距離、振れ軽減性能等を撮像系の情報として検出またはＲＡＭ１０８やフラッシュメモリ１０９から読み出して取得する。
【００５９】
（２）上述した実施の形態では、交換レンズが振れ軽減装置を備えている場合に、ＣＰＵ１０６が交換レンズの防振性能を加味して、像振れ軽減のためにシャッタースピードおよびＩＳＯ感度を設定する例について説明した。しかしながら、カメラ１００が振れ軽減装置を備えている場合にも本発明は適用可能である。例えば、カメラ１００が像振れを打ち消す方向にＣＣＤ等の撮像素子または該撮像素子を含む撮像ユニットを移動させることにより振れ軽減装置を実現している場合には、ＣＰＵ１０６は、振れ軽減装置の有効／無効、振れ軽減性能等を撮像系の情報として検出またはＲＡＭ１０８やフラッシュメモリ１０９から読み出して取得する。
【００６０】
（３）上述した実施の形態では、図２または図３に示したように、上述した閾値を設定し、シャッタースピードおよびＩＳＯ感度を設定することによって像振れ軽減を行う例について説明した、しかしながら、閾値とするシャッタースピードは、図２または図３に示して例に限定されず、また設定するシャッタースピードおよびＩＳＯ感度も図２または図３に示して例に限定されるものではない。
【００６１】
（４）上述した実施の形態では、図２および図３のそれぞれにおいて、装着された撮像レンズが広角レンズか望遠レンズかで閾値、シャッタースピード、およびＩＳＯ感度の設定例を変えるようにした。しかしながら、装着された撮像レンズが広角レンズか望遠レンズかにかかわらず、同じ閾値、シャッタースピード、およびＩＳＯ感度を設定するようにしてもよい。
【００６２】
（５）上述した実施の形態では、撮像レンズが広角レンズか、望遠レンズかで閾値の設定を変更するようにした。しかしながら、撮像レンズが広角レンズか、標準レンズか、望遠レンズかでそれぞれの閾値の設定を変更してもよく、また、撮像レンズがズームレンズの場合は、ズーム状態での焦点距離に応じて閾値を変えるようにしてもよい。
【００６３】
なお、本発明の特徴的な機能を損なわない限り、本発明は、上述した実施の形態における構成に何ら限定されない。また、上述の実施の形態と複数の変形例を組み合わせた構成としてもよい。
【図面の簡単な説明】
【００６４】
【図１】カメラの一実施の形態の構成を示すブロック図である。
【図２】交換レンズの防振性能を加味しない場合のシャッタースピードおよびＩＳＯ感度の設定例を示す図である。
【図３】交換レンズの防振性能を加味した場合のシャッタースピードおよびＩＳＯ感度の設定例を示す図である。
【図４】カメラ１００の処理を示すフローチャート図である。
【符号の説明】
【００６５】
１００  カメラ、１０１  レンズマウント部、１０２  撮像素子、１０３  ＡＦＥ回路、１０４  画像処理回路、１０５  メモリカードスロット、１０５ａ  メモリカード、１０６  ＣＰＵ、１０７  操作部材、１０８  ＲＡＭ  １０９  フラッシュメモリ、１１０  モニタ
【図１】
2010026173.tif 000003
【図２】
2010026173.tif 000004
【図３】
2010026173.tif 000005
【図４】
2010026173.tif 000006